(57)【要約】  操作に不慣れなユーザであっても、操作の仕方を簡単に把握することのできる加熱調理器を提供すること。本発明の加熱調理器（１）は、操作パネル（１１）に、情報コードの読取り操作を案内するための案内表示（２０）を行う。
2019198296.tif 000002
【特許請求の範囲】
【請求項１】
加熱庫と、前記加熱庫を開閉する前扉と、少なくとも食品の種類を示す情報コードを読み取る読取り装置とを備え、前記加熱庫の内部に配置された食品を加熱する加熱調理器において、
前記加熱調理器の正面に、前記読取り装置を用いた情報コードの読取り操作を案内するための案内表示を行うことを特徴とする加熱調理器。
【請求項２】
前記読取り装置は、前記加熱庫の外部、かつ前記加熱庫の前面開口部の上方位置を設置位置とし、前記設置位置よりも下方に読取り領域を有することを特徴とする請求項１に記載の加熱調理器。
【請求項３】
前記前扉の上方に、操作パネルが設けられ、
前記操作パネルに、前記案内表示を行うことを特徴とする請求項１または２に記載の加熱調理器。
【請求項４】
前記操作パネルに、前記案内表示を行う液晶パネルを設け、
前記前扉の開放動作に連動して前記液晶パネルのバックライトを点灯させることを特徴とする請求項３に記載の加熱調理器。
【請求項５】
前記読取り装置の読取り領域を特定するための可視光を照射する光源をさらに備え、
前記光源は、照射した可視光の一部が前記加熱庫の一部で反射するように、前記可視光を照射させることを特徴とする請求項１〜４の何れか１項に記載の加熱調理器。
【請求項６】
前記加熱庫の底面に、前記読取り装置を用いた情報コードの読取り操作を案内するための別の案内表示を行うことを特徴とする請求項１〜５の何れか１項に記載の加熱調理器。
【請求項７】
前記前扉を閉じた状態で、当該前扉の上面の、前記読取り装置の読取り光の出射面に対向する位置に、当該出射面に接触する清掃部材が設けられていることを特徴とする請求項１〜６の何れか１項に記載の加熱調理器。
【発明の詳細な説明】
【技術分野】
【０００１】
本発明は、加熱庫内部に配置された食品を加熱する加熱調理器に関する。
【背景技術】
【０００２】
従来、例えばコンビニエンスストアでは、販売した弁当等の食品を電子レンジ等の加熱調理器にて加熱し、客に手渡すサービスが行われている。【０００３】
食品を加熱する場合の好適な加熱温度や加熱時間は、食品の種類によって異なる。そこで、特許文献１および２に示す加熱調理器では、食品の容器に記された、食品の種類を示すバーコードを読取り装置にて読み取り、食品の種類に応じた加熱情報（加熱温度や加熱時間）に従って食品を加熱するようにしている。【０００４】
具体的には、特許文献１に記載の構成では、電子レンジにバーコードスキャナが接続され、ユーザがバーコードスキャナを手動操作して食品の容器に記されたバーコードを読み取るようになっている。【０００５】
また、特許文献２に記載の構成では、加熱調理器の前面の一方の側部に設けられた第１のバーコード読取り装置に、食品の容器に記されたバーコードをかざしてバーコードを読み取るようになっている。あるいは加熱調理器の加熱庫内部に、容器に収容された食品を配置し、加熱庫の天壁に設けられた第２のバーコード読取り装置にて食品の容器に記されたバーコードを読み取るようになっている。
【先行技術文献】
【特許文献】
【０００６】
【特許文献１】日本国公開特許公報「特開２００６−６４３６２号公報」
【特許文献２】日本国公開登録実用新案公報「実用新案登録第３０７６６４９号公報」
【発明の概要】
【発明が解決しようとする課題】
【０００７】
しかしながら、特許文献１、２において、何れもユーザがバーコードスキャナを使用して食品の容器に記されたバーコードを読み取る必要がある。このため、従来のバーコードスキャナを有する加熱調理器は、操作に不慣れなユーザにとって当該加熱調理器の操作の仕方を簡単に把握することができないという問題点を有している。【０００８】
したがって、本発明の一態様は、操作に不慣れなユーザであっても、操作の仕方を簡単に把握することのできる加熱調理器の提供を目的とする。
【課題を解決するための手段】
【０００９】
上記の課題を解決するために、本発明の一態様に係る加熱調理器は、加熱庫と、前記加熱庫を開閉する前扉と、少なくとも食品の種類を示す情報コードを読み取る読取り装置とを備え、前記加熱庫の内部に配置された食品を加熱する加熱調理器において、前記加熱調理器の正面に、前記読取り装置を用いた情報コードの読取り操作を案内するための案内表示を行うことを特徴としている。
【発明の効果】
【００１０】
本発明の一態様によれば、加熱調理器の操作に不慣れなユーザであっても、案内表示をみるだけで、当該加熱調理器の操作の仕方を簡単に把握することができる。
【図面の簡単な説明】
【００１１】
【図１】本発明の実施形態の加熱調理器の前扉を閉じた状態を正面の斜め上方から見た場合の斜視図である。
【図２】図１に示した加熱調理器の前扉を開放した状態の正面図である。
【図３】図１に示した加熱調理器の前扉を開放した状態を右斜め下方から見た場合の斜視図である。
【図４】図１に示した加熱調理器が備える読取り装置の設置状態を示すコントロールフレームの縦断面図である。
【図５】図４に示した読取り装置の読取り領域を示す説明図である。
【図６】図６の（ａ）は、図４に示した読取り装置が読み取る二次元コードからなる情報コードの例を示す説明図、図６の（ｂ）は、図４に示した読取り装置が読み取る一次元バーコードからなる情報コードの例を示す説明図である。
【図７】図７の（ａ）は、図４に示した読取り装置による情報コードの読み取りのための操作パネルでの案内表示例を示す説明図、図７の（ｂ）は、図４に示した読取り装置による情報コードの読み取りのための操作パネルでの他の案内表示例を示す説明図である。
【図８】図１に示した加熱調理器が備える制御装置の構成を示すブロック図である。
【図９】本発明の他の実施形態の加熱調理器の前扉を開放した状態を右斜め下方から見た場合の斜視図である。
【図１０】本発明の他の実施形態に係る加熱調理器の前扉を開放した状態を正面の斜め下方から見た場合の斜視図である。
【図１１】図１０に示す加熱調理器における読取り領域を認知させるための照明の照射方向の説明図である。
【図１２】本発明の他の実施形態に係る加熱調理器の前扉を開放した状態の正面図である。
【図１３】本実施形態に係る加熱調理器を正面から見た模式図である。
【図１４】図１３に示す加熱調理器のＡＡ線矢視断面図である。
【発明を実施するための形態】
【００１２】
〔実施形態１〕
以下、本発明の一実施形態について、詳細に説明する。図１は、本実施形態の加熱調理器１の前扉１２を閉じた状態を正面の斜め上方から見た場合の斜視図である。図２は、図１に示した加熱調理器１の前扉１２を開放した状態を正面の斜め下方から見た場合の斜視図である。図３は、図１に示した加熱調理器１の前扉１２を開放した状態を右斜め下方から見た場合の斜視図である。
【００１３】
（加熱調理器１の概要）
図１から図３に示すように、加熱調理器は、例えば電子レンジであり、前面の上部に操作パネル１１を有し、操作パネル１１の下に前扉１２を有している。前扉１２は、前扉１２の奥に設けられている加熱庫１３を開閉する扉であり、閉状態にて加熱庫１３の前面開口部１３ｂを覆う。前扉１２は、本実施形態において、向って左側の端部を中心として回転する横開き形式であり、右端付近に取手１４を有している。
【００１４】
操作パネル１１は、コントロールフレーム（基板収容部）１５の前面に設けられており、加熱調理器１の前後方向において、操作パネル１１の前面位置は前扉１２の前面位置とほぼ一致している。
【００１５】
コントロールフレーム１５の内部には、操作パネル１１の表示部の制御や、入力キー等に対するユーザ操作の受け付け等を行う制御基板（図示せず）が設けられている。
【００１６】
（読取り装置１６）
図４は、読取り装置１６の設置状態を示すコントロールフレーム１５の縦断面図である。図５は、読取り装置１６の読取り領域１９を示す説明図である。
【００１７】
図４に示すように、コントロールフレーム１５は、加熱調理器１の前方へ突出状に設けられている。読取り装置１６は、読取り装置基板（回路基板）１７の下面に取り付けられ、コントロールフレーム１５の内部の下部に設けられている。読取り装置基板１７は、読取り装置１６の駆動回路を備えている。すなわち、読取り装置１６は、加熱庫１３の外部、かつ加熱庫１３の前面開口部１３ｂの上方位置（天壁１３ａ側の位置）を設置位置とし、設置位置よりも下方に読取り領域１９を有するように設けられている。
【００１８】
読取り装置１６は、例えばバーコードリーダであり、加熱調理器１にて加熱する食品あるいは食品の容器に付与された情報コード（例えばバーコード）を読み取るようになっている。
【００１９】
読取り装置１６は、図５に示すように、読取り装置１６の下方領域を読取り領域１９としており、コントロールフレーム１５は、読取り装置１６と対向する下壁部の部分に、透明の読取り窓１８を有している。
【００２０】
読取り装置１６の読取り領域１９は、ユーザが目視にて読取り領域１９を理解できるように、例えば赤色の光にて示すようになっている。この赤色の光は、読取り領域照明部２１（図８参照）が照射する。読取り領域照明部２１としては、例えば赤色ＬＥＤが用いられる。なお、読取り領域１９を示す光は赤色に限定されず、ユーザが目視可能な他の光、例えばレーザ等であってもよい。また、赤色ＬＥＤの個数は１個でもよいし、複数個であってもよい。
【００２１】
また、読取り装置１６は、図２および図３に示すように、加熱庫１３の前面開口部１３ｂの幅方向（左右方向）の中央部に設けられている。
【００２２】
（情報コード）
図６の（ａ）は、二次元コード（ＱＲコード（登録商標））からなる情報コードの例を示す説明図、図６の（ｂ）は、一次元バーコードからなる情報コードの例を示す説明図である。図７の（ａ）は、読取り装置１６による情報コードの読み取りのための操作パネル１１での案内表示例を示す説明図、図７の（ｂ）は、読取り装置１６による情報コードの読み取りのための操作パネル１１での他の案内表示例を示す説明図である。
【００２３】
情報コードは、食品の種類を示す情報であり、食品あるいは食品の容器に、例えば印刷あるいはシールによって付与されている。情報コードは、食品の種類、例えば食品が弁当であること（あるいはさらには弁当の種類）や、おにぎりであること（あるいはさらにはおにぎりの種類）を示す情報である。
【００２４】
情報コードは、例えば図６の（ａ）に示すように、二次元コードであってもよいし、図６の（ｂ）に示すように、一次元バーコードであってもよい。なお、情報コードは、食品の種類を示すことができるものであればよく、特にバーコード等に限定されない。
【００２５】
操作パネル１１には、読取り装置１６による情報コードの円滑な読み取りのために、ユーザに対する案内表示２０が行われている。例えば図７の（ａ）の例では、「ドアを開けて赤色の光に情報コードをかざしてください」という案内表示２０が行われている。また、図７の（ｂ）の例では、「ドアを開けて情報コードに赤色の光を当ててください」という案内表示２０が行われている。なお、これら案内表示２０は、一例であり、特にこれらに限定されない。
【００２６】
なお、案内表示２０を行う位置は、図７の（ａ）（ｂ）に示すように、操作パネル１１のほぼ中央の位置に限定されず、操作パネル１１上であればどの位置でもよく、また、読取り装置１６による情報コードの読取り操作をユーザに対して案内できる位置であれば操作パネル１１以外の位置（加熱調理器１の正面）であってもよい。ユーザにとって使い勝手が向上する好ましい位置は、加熱調理器１を操作するうえで必ず目につく操作パネル１１上の位置である。さらに、読取り窓１８の近傍（上方）であれば、より好ましい。
【００２７】
（案内表示）
案内表示２０は、ユーザに操作の仕方を案内する内容を操作パネル１１に印刷することで実現している。例えば、案内表示２０を印刷したシールを、操作パネル１１に貼り付ける。しかしながら、案内表示２０の実現方法としては、操作パネル１１への印刷に限定されるものではなく、操作パネル１１に液晶パネルを設けて、当該液晶パネルに案内表示２０を行うようにしてもよい。この場合、前扉１２の開閉に連動して、液晶パネルのバックライトの点灯制御を行うようにする。例えば前扉開閉検知部２５（図８）によって前扉１２の開放が検知されると、当該前扉１２を開ける動作に連動して、案内表示２０が表示された液晶パネルのバックライトを点灯させる。これにより、ユーザに対して案内表示２０を視認しやすくさせることができる。あるいは、案内表示２０を行うと共に、当該案内表示２０の内容を音声にて通知するようにしてもよい。この場合、案内表示２０に表示されている文字が見難いユーザであっても、音声で確認できるので、操作を円滑に行うことが可能となる。
【００２８】
（制御装置）
図８は、加熱調理器１が備える制御装置の構成を示すブロック図である。制御装置は、加熱調理器１の動作を制御する制御部２２を備えている。制御部２２は、例えばマイクロコンピュータからなり、ＣＰＵ、ＲＯＭおよびＲＡＭを有する。
【００２９】
図８に示すように、制御部２２には、操作パネル１１、加熱動作部２３、読取り装置１６、読取り領域照明部２１、読取り結果報知部２４および前扉開閉検知部２５が接続されている。前扉開閉検知部２５は、例えば前扉１２が閉じられたときにオンするスイッチからなり、前扉１２の開状態および閉状態を検知する。
【００３０】
加熱動作部２３は、加熱庫１３に配置された食品を加熱する動作部であり、例えばマイクロ波出力装置やヒータである。読取り結果報知部２４は、ブザーや音声発生部であり、制御部２２に制御されて、読取り装置１６による情報コードの読み取りの成功または失敗をユーザに報知する。
【００３１】
制御部２２は、例えばインターネット回線を使用してサーバ３１と通信可能である。サーバ３１には、各種食品の種類に応じた加熱情報が登録されている。制御部２２は、読取り装置１６が情報コードを読み取ることによって取得した食品の種類に応じた加熱情報をサーバ３１から取得し、取得した加熱情報に従って食品が加熱されるように、加熱動作部２３を制御する。なお、食品の種類に応じた加熱情報は、加熱調理器１自体が有していてもよい。この場合、加熱調理器１はサーバ３１との通信が不要である。
【００３２】
また、制御部２２は、読取り結果報知部２４の動作を制御し、読取り装置１６による情報コードの読み取りの成功または失敗をユーザに報知させる。
【００３３】
（加熱調理器１の動作）
上記の構成において、加熱調理器１の動作について以下に説明する。ここでは、容器の上面に情報コードが付与された弁当を加熱調理器１にて加熱する場合について説明する。
【００３４】
まず、ユーザは、操作パネル１１の案内表示２０（例えば、「ドアを開けて赤色の光に情報コードをかざしてください」）を確認する。そして、ユーザは、この案内表示２０に従って、前扉１２を開ける。この前扉１２の開放状態を前扉開閉検知部２５が検知すると、制御部２２は、読取り装置１６および読取り領域照明部２１を動作させる。
【００３５】
次に、ユーザは、操作パネル１１の案内表示２０に従って、読取り装置１６の読取り領域１９に情報コードが入るように（情報コードに赤色の光が当たるように）、弁当を移動させる。
【００３６】
この動作により、読取り装置１６は弁当に付与された情報コードを読み取る。読取り装置１６による情報コードの読み取りが成功すると、制御部２２は、その読取り結果を読取り結果報知部２４にてユーザに報知させる。この場合の読取り結果報知部２４の動作は、例えば「ピー」という連続音を発する動作、「情報コードの読み取りが成功しました」という音声を発する動作、あるいはそれら両方である。
【００３７】
ユーザは、読取り結果報知部２４にて情報コードの読み取りの成功が知らされると、弁当を加熱庫１３の内部へ配置した後、前扉１２を閉じ、操作パネル１１のスタートボタンを押す。
【００３８】
制御部２２は、情報コードの読み取りが成功すると、サーバ３１と通信し、情報コードが示す食品の種類の応じた加熱情報をサーバ３１から取得する。その後、制御部２２は、ユーザが前扉１２を閉じ、操作パネル１１のスタートボタンを押と、取得した加熱情報に従って加熱庫１３内の弁当を加熱する。
【００３９】
一方、読取り装置１６による情報コードの読み取りが失敗すると、制御部２２は、その読取り結果を読取り結果報知部２４にてユーザに報知させる。この場合の読取り結果報知部２４の動作は、例えば「ピッ、ピッ、ピッ」という断続音を発する動作、「情報コードの読み取りが失敗しました」という音声を発する動作、あるいはそれら両方である。
【００４０】
ユーザは、読取り結果報知部２４にて情報コードの読み取りの失敗が知らされると、読取り装置１６の読取り領域１９に情報コードが入るように（情報コードに赤色の光が当たるように）、再度、弁当を移動させる。これにより、情報コードの読み取りが成功した場合の動作は、前述のとおりである。
【００４１】
（加熱調理器１の利点）
加熱調理器１では、読取り装置１６は、加熱庫１３の外部、かつ加熱庫１３の前面開口部１３ｂの上方位置を設置位置とし、設置位置よりも下方に読取り領域１９を有するように設けられている。
【００４２】
したがって、ユーザが加熱される食品を加熱庫１３に載置する一連の動作の途中にて、読取り装置１６により情報コードを読み取ることができる。これにより、ユーザは、情報コードを読取り装置１６にて読み取らせるための独立した操作が不要となり、情報コードの読み取り作業が容易となる。
【００４３】
また、読取り装置１６は、加熱庫１３の前面開口部１３ｂの上方位置に設置されているので、検出信号通過面（読取り窓１８の下面）の汚れが生じ難く、かつ加熱庫１３内の温度の影響を受け難くなっている。
【００４４】
また、加熱庫１３の前面開口部１３ｂの上方位置には、操作パネル１１の制御基板を収容するコントロールフレーム１５が突出状に設けられている。読取り装置１６は、コントロールフレーム１５の下面から下方を臨むように設けられている。このように、読取り装置１６は、操作パネル１１の制御基板を収容するコントロールフレーム１５を利用して設置されている。
【００４５】
さらに、操作パネル１１には、ユーザに対する案内表示２０が行われている。これにより、読取り装置１６による情報コードの円滑な読み取りを行うことが可能となる。つまり、加熱調理器１の操作に不慣れなユーザであっても、案内表示２０をみるだけで、当該加熱調理器１の操作の仕方を簡単に把握することができる。
【００４６】
〔変形例〕
図９は、前記実施形態１の変形例である加熱調理器２の前扉１２を開放した状態を右斜め下方から見た場合の斜視図である。
【００４７】
（読取り装置１６）
加熱調理器２では、読取り装置１６は、図９に示すように、加熱庫１３の前面開口部１３ｂの幅方向（左右方向）の中央部よりも、横開きの前扉１２の回転中心とは反対側寄りの位置に設けられている。加熱調理器２のその他の構成、ならびに加熱調理器２の動作は、前述した加熱調理器１と同様である。
【００４８】
（加熱調理器２の利点）
加熱調理器２では、読取り装置１６は、加熱庫１３の前面開口部１３ｂの幅方向の中央部よりも、横開きの前扉１２の回転中心とは反対側寄りの位置に設けられている。したがって、前扉１２を例えば半分程度開けて、おにぎり等の小型の食品を前扉１２の回転中心とは反対側寄りの位置から加熱庫１３の内部に入れるような場合であっても、読取り装置１６による情報コードの読み取りの失敗が生じ難くなる。加熱調理器２のその他の利点は、前述した加熱調理器１と同様である。
【００４９】
なお、読取り装置１６は、１個に限定されず、２個設けてもよい。この場合、第１の読取り装置１６は上記の位置に設け、第２の読取り装置１６は、加熱庫１３の前面開口部１３ｂにおける前扉１２の回転中心側の端部に対応する位置と第１の読取り装置１６との間の位置に設けてもよい。
【００５０】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５１】
（加熱調理器３の概要）
図１０は、本実施形態に係る加熱調理器３の前扉１２を開放した状態を正面の斜め下方から見た場合の斜視図である。
【００５２】
加熱調理器３は、前記実施形態１の変形例の加熱調理器２と同様に、読取り装置１６（読取り窓１８）は、図１０に示すように、加熱庫１３の前面開口部１３ｂの幅方向（左右方向）の中央部よりも、横開きの前扉１２の回転中心とは反対側寄りの位置に設けられている。加熱調理器２のその他の構成、ならびに加熱調理器２の動作は、前述した加熱調理器１と同様である。
【００５３】
加熱調理器３に読取り装置１６を設けた場合、前記実施形態１で説明した通り、当該読取り装置１６の読取り領域１９は、ユーザが目視にて読取り領域１９を理解できるように、例えば赤色の光にて示すようになっている。この赤色の光は、読取り装置１６の近傍に設けられた読取り領域照明部２１から加熱庫１３の前面開口部１３ｂ近傍に照射されることで、ユーザが目視にて読取り領域１９を理解できるようになっている。
【００５４】
（赤色光４１）
図１１は、加熱調理器３を載置台６０に載せた場合の概略構成図を示す。
【００５５】
図１１に示す例では、加熱調理器３を載置台６０に載置する際に、当該加熱調理器３の加熱庫１３の前面が載置台６０と面一となっている。このような場合、読取り領域照明部２１は、載置台６０の側端面から突出した位置に配置される。読取り領域照明部２１から出射される赤色の光（以下、赤色光と称する）４１はある程度の広がりを持って床面５０に到達する。しかしながら、床面５０に到達した赤色光４１は、加熱調理器３から床面５０までの距離が長いため、ユーザが目視し難くなる。
【００５６】
そこで、本実施形態に係る加熱調理器３では、図１０および図１１に示すように、読取り領域照明部２１からの赤色光４１の少なくとも一部が加熱庫１３の前面開口部１３ｂに照射するようになっている。つまり、読取り装置１６による読取り領域１９をユーザに認識させるための赤色光４１を加熱庫１３内の一部（底面）に反射させている。ここで、赤色光４１を加熱庫１３内で反射させる割合は、５０％が好ましい。なお、赤色光４１が加熱庫１３内に入り込む割合が多くなる（５０％より多い）と、ユーザは認識し易くなるものの、読取り装置１６の読取り領域１９とのずれが大きくなるため、適切な読取り位置にユーザを導くことができないおそれがある。
【００５７】
なお、本実施形態では、読取り装置１６とは別に読取り領域照明部２１を設けているが、読取り領域照明部２１を設けず、読取り装置１６から照射する光を赤色光のような可視光としてもよい。この場合、読取り装置１６の読取り領域１９とのずれが生じることがない。
【００５８】
（加熱調理器３の利点）
加熱調理器３では、読取り装置１６の読取り領域１９をユーザに認識させるための赤色光４１を加熱庫１３内の一部に反射させていることで、加熱調理器３の載置場所を選ばずに、読取り領域１９を確実にユーザに認識させることが可能となる。
【００５９】
例えば、図１１に示すように、読取り装置１６の読取り領域１９の一部が床面５０にかかるような場合であっても、読取り領域照明部２１から照射される赤色の光が加熱調理器３の加熱庫１３の内で反射されるように照射されるため、ユーザは容易に読取り領域１９を認識することが可能となる。
【００６０】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００６１】
（加熱調理器４の概要）
図１２は、本実施形態に係る加熱調理器４の前扉１２を開放した状態の正面図である。
【００６２】
加熱調理器４は、前記実施形態１の加熱調理器１とほぼ同じ構成であるが、図１２に示すように、操作パネル１１に案内表示２０を行うのに加えて、加熱庫１３の底面に備えられたセラミック製のプレート１３ｃに案内表示３０を行う点で異なる。この案内表示３０は、前記実施形態１の加熱調理器１の操作パネル１１に表示された案内表示２０と同じように、読取り装置１６による情報コードの円滑な読み取りのための表示である。
【００６３】
（案内表示３０）
案内表示３０は、プレート１３ｃに直接印刷することで実現している。案内表示３０は、案内表示２０と同様に、情報コードをかざす場所を指示する内容となっている。案内表示３０の内容として、例えば「矢印の先にある赤い光に情報コードをかざしてください。」がある。
【００６４】
また、案内表示３０は、プレート１３ｃに直接印刷する。プレート１３ｃの印刷の塗料として、紫外線を照射することで発光する塗料を用いることで、暗い加熱庫１３内であっても案内表示３０が視認しやすくなる。
【００６５】
また、案内表示３０は、情報コードが記載された被加熱物の動線上にあればよい。例えば図１２に示すように、読取り窓１８（読取り装置１６）の読取り位置と加熱庫１３内の加熱対象物を載置する位置とを結ぶ直線上に案内表示３０を行うのが好ましい。
【００６６】
（加熱調理器４の利点）
加熱調理器４では、前扉１２を開けると加熱庫１３のプレート１３ｃの案内表示３０をユーザが見ることになるため、操作パネル１１の案内表示２０を見忘れた場合であっても、読取り装置１６による情報コードの円滑な読み取りを行うことが可能となる。
【００６７】
しかも、加熱対象物を載置する加熱庫１３のプレート１３ｃに案内表示３０が行われているため、ユーザは当該案内表示３０に記載された操作に応じて、情報コードを読み取った後の加熱対象物をそのまま加熱庫１３に載置できる。つまり、ユーザは、前扉１２を開放するという簡単な動作により、加熱庫１３のプレート１３ｃの案内表示３０を確認できるため、非常に使い勝手がよい加熱調理器４となる。
【００６８】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【００６９】
（加熱調理器５の概要）
図１３は、本実施形態に係る加熱調理器５を正面から見た模式図である。図１４は、図１３に示す加熱調理器５のＡＡ線矢視断面図である。
【００７０】
加熱調理器５は、前記実施形態１〜３の加熱調理器１〜４とほぼ同じ構成であるが、図１３および図１４に示すように、前扉１２の上面１２ａに読取り窓１８を清掃する清掃部材５１が設けられている点で異なる。
【００７１】
清掃部材５１は、例えばフェルトからなり、前扉１２が閉じた状態で操作パネル１１の下面に形成された読取り窓１８に接触するように設けられている。これにより、前扉１２を開放させる方向に動かすと、この動きに連動して清掃部材５１が前扉１２の開放方向に移動する。この移動の際、清掃部材５１は、読取り窓１８に接触することで、読取り窓１８に付着した湯気やゴミなどを拭き取る。
【００７２】
清掃部材５１は、読取り窓１８を傷つけない素材であることが好ましい。読取り窓１８が樹脂であれば、上述したフェルトや、各種繊維等の樹脂を傷つけない素材であることが好ましい。
【００７３】
また、清掃部材５１は、前扉１２に対して着脱自在に設けられている。例えば、清掃部材５１を、マジックテープ（登録商標）によって着脱自在にしてもよいし、マグネットによって着脱自在にしてもよい。あるいは、前扉１２の清掃部材５１を設置する部分に、額縁を設けて、この額縁に入り込むフェルト等を当該額縁から着脱自在にすることで、清掃部材５１を前扉１２に対して着脱自在にしてもよい。
【００７４】
さらに、清掃部材５１の幅、すなわち前扉１２の上面１２ａの長手方向の長さは、読取り窓１８の幅と等しいか、大きいことが好ましい。また、清掃部材５１の奥行きについても、読取り窓１８の奥行きと同じか大きいことが好ましい。なお、清掃部材５１の奥行きについては、読取り窓１８の奥行きよりも短くてもよい場合がある。このような場合とは、清掃部材５１を奥行き方向の端部側（加熱庫１３の開口部側）に近い位置にずらして配置する場合である。この場合、前扉１２が開放する際に、清掃部材５１が奥行き方向の端部側から手前側に移動することになるので、読取り窓１８の全面を拭き取ることができる。
【００７５】
（加熱調理器５の利点）
加熱調理器５では、前扉１２を開ける動作を行うことにより、読取り窓１８を清掃することができる。従って、ユーザは、意図せずに読取り窓１８の清掃を行っていることになる。このように、読取り窓１８を前扉１２の開閉動作に連動して清掃することで、読取り窓１８は常にキレイであり、読取り装置１６による情報コードの読取りを常に精度よく行うことができる。
【００７６】
〔まとめ〕
本発明の態様１に係る加熱調理器は、加熱庫１３と、前記加熱庫１３を開閉する前扉１２と、少なくとも食品の種類を示す情報コードを読み取る読取り装置１６とを備え、前記加熱庫１３の内部に配置された食品を加熱する加熱調理器において、前記加熱調理器の正面に、前記読取り装置１６を用いた情報コードの読取り操作を案内するための案内表示２０を行うことを特徴としている。
【００７７】
上記の構成によれば、前扉の近傍に、前記読取り装置を用いた情報コードの読取り操作を案内するための案内表示を行うことで、加熱調理器の操作に不慣れなユーザであっても、案内表示をみるだけで、当該加熱調理器の操作の仕方を簡単に把握することができる。
【００７８】
本発明の態様２に係る加熱調理器は、上記態様１において、前記読取り装置１６は、前記加熱庫１３の外部、かつ前記加熱庫１３の前面開口部１３ｂの上方位置を設置位置とし、前記設置位置よりも下方に読取り領域１９を有してもよい。
【００７９】
本発明の態様３に係る加熱調理器は、上記態様１または２において、前記前扉１２の上方に、操作パネル１１が設けられ、前記操作パネル１１に、前記案内表示２０を行ってもよい。
【００８０】
上記構成によれば、案内表示が行われるのが、加熱調理器１を操作するうえで必ず目につく操作パネルであるので、ユーザにとって使い勝手が向上する。
【００８１】
本発明の態様４に係る加熱調理器は、上記態様３において、前記操作パネル１１に、前記案内表示２０を行う液晶パネルを設け、前記前扉１２の開放動作に連動して前記液晶パネルのバックライトを点灯させてもよい。
【００８２】
上記構成によれば、前扉の開放動作に連動して液晶パネルのバックライトが点灯するので、案内表示を目立たせることができる。これにより、ユーザは、前扉を開ける動作を行うことで、案内表示を確実に目にすることができる。
【００８３】
本発明の態様５に係る加熱調理器は、上記態様１〜４の何れか１態様において、前記読取り装置１６の読取り領域１９を特定するための可視光（赤色光４１）を照射する光源（読取り領域照明部２１）をさらに備え、前記光源（読取り領域照明部２１）は、照射した可視光の一部が前記加熱庫１３の一部で反射するように、前記可視光を照射させてもよい。
【００８４】
上記構成によれば、前記読取り領域を特定するための可視光が、加熱庫の一部に反射するようになっているので、ユーザは読取り領域を確実に認識することが可能となる。例えば加熱調理器を載置台の際に載置した場合、読取り装置が載置台から突出した状態となり、当該読取り装置読取り領域が載置台の下の床面を含む領域となるため、可視光も床面に照射される。このような場合、可視光が床面で反射することになるため、可視光自体が認識し難くなるので、ユーザは情報コードを適切に読み取らせることが難しくなる。しかしながら、上述のように、読取り領域を特定するための可視光が、加熱庫の一部に反射するようになっていれば、ユーザは容易に読取り領域を認識できるので、情報コードを適切に、且つ迅速に読み取らせることができる。
【００８５】
本発明の態様６に係る加熱調理器は、上記態様１〜５の何れか１態様において、前記加熱庫１３の底面（レプレート１３ｃ）に、前記読取り装置１６を用いた情報コードの読取り操作を案内するための別の案内表示３０を行ってもよい。
【００８６】
上記構成によれば、加熱庫を開放するという簡単な操作により、案内表示を確認できるので、ユーザにとって非常に使い勝手がよい。
【００８７】
本発明の態様７に係る加熱調理器は、上記態様１〜６の何れか１態様において、前記前扉１２を閉じた状態で、当該前扉１２の上面１２ａの、前記読取り装置１６の読取り光の出射面（読取り窓１８）に対向する位置に、当該出射面（読取り窓１８）に接触する清掃部材５１が設けられていてもよい。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８９】
１〜５  加熱調理器
１１  操作パネル
１２  前扉
１２ａ  上面
１３  加熱庫
１３ａ天壁
１３ｂ  前面開口部
１３ｃ  プレート
１４  取手
１５  コントロールフレーム
１６  読取り装置
１７  読取り装置基板
１８  読取り窓
１９  読取り領域
２０  案内表示
２１  読取り領域照明部
２２  制御部
２３  加熱動作部
２５  前扉開閉検知部
３０  案内表示
４１  赤色光
５０  床面
５１  清掃部材
６０  載置台
【図１】
2019198296.tif 000003
【図２】
2019198296.tif 000004
【図３】
2019198296.tif 000005
【図４】
2019198296.tif 000006
【図５】
2019198296.tif 000007
【図６】
2019198296.tif 000008
【図７】
2019198296.tif 000009
【図８】
2019198296.tif 000010
【図９】
2019198296.tif 000011
【図１０】
2019198296.tif 000012
【図１１】
2019198296.tif 000013
【図１２】
2019198296.tif 000014
【図１３】
2019198296.tif 000015
【図１４】
2019198296.tif 000016
【国際調査報告】
2019198296.tif 000017
2019198296.tif 000018
2019198296.tif 000019
2019198296.tif 000020